(57)【要約】   【課題】包装体の開封後においても、薬事効果を一定期間保持して使用できる仕組みと開口部を束ねて止める又は自前の帯状体で結んで開口部を結んで締める又は輪を作り嵌める機能を備える手又は足をケアするケア用品を提供する。  【解決手段】前記ケア用品の一袋の形態は、手又は足の指から手首又は足首又は任意の部位まで包む形状である。前記一袋の構成は、樹脂フィルムに化学繊維のみからなる不織布シート更に化学繊維のみからなる不織布シートに樹脂フィルムの順に積層し、同時に薬剤を双方の化学繊維のみからなる不織布シートに含浸させて、前記包む袋の周囲を熱圧着シール等で接合し、内部と外部を遮断する一袋又は１ペア形態に打ち抜いて形成する構成である。【選択図】図１
2014132126.tif 000002
【特許請求の範囲】
【請求項１】
手又は足をケアするケア用品であって、一袋からなる形状は、手又は足の指から手首、又は足首、又は任意の部位までを包む袋状であって、指５本を一緒に、又は親指とそれ以外の指とを分けて、又は指５本をそれぞれ個別に包む形状であり、一袋を構成する袋の断面は、樹脂フィルム／化学繊維のみからなる不織布シート／化学繊維のみからなる不織布シート／樹脂フィルムを順に積層するものであり、前記双方の化学繊維のみからなる不織布シートに薬剤を含浸し、前記包む袋の輪郭は内部と外部とを遮断する一袋の形態とする手又は足をケアするケア用品。
【請求項２】
切り欠いて開口部シール帯を取り除いて、入り口部を設けるための目印となる切り口を設ける請求項１に記載の手又は足をケアするケア用品。
【請求項３】
前記切り口を一対設け、一方の前記切り口と他方の前記切り口を結ぶ部分は、前記樹脂フィルムの２層である請求項２に記載の手又は足をケアするケア用品。
【請求項４】
指部の先から一方の前記切り口と他方の前記切り口を結ぶ部分までは、樹脂フィルム／化学繊維のみからなる不織布シート／化学繊維のみからなる不織布シート／樹脂フィルムを順に積層する４層である請求項３に記載の手又は足をケアするケア用品。
【請求項５】
前記手や又は足をケアするケア用品の周囲に自らに備える、分離可能である帯状体が前記一袋の外周部に形成されており、前記一袋の、前記開口部シール帯を取り除き前記入り口となる周囲部分を、分離された前記帯状体で結び締めることができる請求項２から４のいずれかに記載の手又は足をケアするケア用品。
【請求項６】
前記帯状体を互いの孔部に通して、前記入り口部を前記帯状体で結束するための、前記入り口部付近に設ける切欠き孔又は切欠き線を設ける請求項２から５のいずれかに記載の手又は足をケアするケア用品。
【請求項７】
前記帯状体に前記帯状体に沿う長手方向に切欠き線を施して輪の形状を設け又は前記帯状体に前記帯状体に沿う長手方向に切欠いて帯を設け前記切欠いた帯の端部の互いを結んで任意の輪の形状をつくり、入り口部の周囲よりも小さく嵌める仕組みを設ける請求項２から６のいずれかに記載の手又は足をケアするケア用品。
【請求項８】
前記一袋なる手又は足をケアするケア用品の、手の形状の開口部を形成するシール帯を真ん中にして左右対称の形状又は足の形状の開口部を形成するシール帯を真ん中にして、左右対称に切り分けるための切り込み線を設ける請求項１から７のいずれかに記載の手又は足をケアするケア用品。
【請求項９】
前記一袋なる手又は足をケアするケア用品の、手の形状の互いの指先部を向い合せる左右対称の形状又は足の形状の互いの指先部を向い合せる左右対称の形状の、互い向かい合う真ん中には左右対称に切り分けるための切り込み線を設ける請求項１から７のいずれかに記載の手又は足をケアするケア用品。
【発明の詳細な説明】
【技術分野】
【０００１】
本願発明は、手又は足をケアするケア用品であって、１包装袋に前記手又は足をケアするケア用品を封入し、開封後においても、前記手又は足をケアするケア用品内部の薬事効果を保持して使用できる仕組みと指から挿入する開口部を結束する機能を設ける手又は足をケアするケア用品（以下これらをケア用品と略称する）に関する。
【０００２】
本願の前記ケア用品を形成する一袋の形状及び形態は、前記袋の内部と外部（前記袋の周囲）とは遮断されているものであって、前記ケア用品は前記ケア用品内部に調整された効能効果が表現できる密閉容器とする形状であり、更に、前記ケア用品は入り口を結束するための結束部を備え、加えて一袋の外周には帯状体を自らに備える形態である。例えば、手又は足の、指５本を袋状に包む形状とし又は親指を袋状に包む形状に加え人差し指から小指までを袋状に連なって包む形状とし又は５本の指のそれぞれに対応して袋の形状であって、前記指の先から前記開口部までの丈は任意であるが、手首の部位又は足首の部位を有し、前記手又は足の指が挿入される開口部の入り口を切り欠いて設けるものであり、前記開口部の入り口の周囲の部位を束ねて止めるための、結束部を備え、前記ケア用品の外周に帯状体を自らに備えている。
【０００３】
前記包装袋に封入される、前記ケア用品を形成する一袋の形状及び形態は、１手又は１足の形態で封入する或いは左右双方に使用するイメージをさせる１ペアであり、１ペアは開口部シール帯符号２を境に連続させる形態で又は双方の指先をつきあわせて連続させる形態で封入し又は複数枚を封入する。前記ケア用品は内部と外部とは遮断されているので、お徳用の形態とする、例えば、化粧箱や容器に継続して使用することを意識させる複数枚を封入する又は、例えば、順次取り出せる複数枚を封入する形態にしても問題ない。
【０００４】
前記一袋は、後述するフィルムを積層して、周囲を超音波シールや熱圧着シール（以下これらをシールと略称する）で接合し、内部には不織布シートに含浸された薬剤が存在し、外部と遮断した袋状の一袋であり、溶断又は刃型で打ち抜かれる。
【背景技術】
【０００５】
従来のケア用品に、特開２００４−２４８７６０号の明細書に記載された、「０００８」の化学合成繊維＋天然繊維の合成繊維でなる〜シート材を手袋成形してスキンケア化粧品を含浸する。加えて、前記特開２００４−２４８７６０号、特開平７−８５１９号、特開昭５４−１１７２５５号があるが、少なくとも、次に掲げる形態及び対応策の記述がいずれの明細書にも記されていない。
【０００６】
前記従来のケア用品は、例えば、包装袋に封入されている包装体において、指から入れるための開口部が外部と遮断しない状態であるから、前記従来ケア用品の内部から液漏れが発生する状況があり、規定用量にばらつきがおきて本来掲げた効能効果に誤りが生じてしまう。前記状況は、外部からの物的圧力又は開口部を下向きにしての物流等で、前記ケア用品内部に充填した規定容量よりも少ない方向或いは薬液を構成する原料のバランスが崩れる方向に変化する。
【０００７】
次に、使用の最中の、指から入れるための開口部が開いたままの使用状態では、手又は足と前記ケア用品との隙間から充填液が漏れたり、体温の影響で隙間からの蒸発が速まり乾燥方向となったりすることで、使用者に不快感を覚えさせてしまう。
【０００８】
更には前記と異なる従来品に、外側両方向に指の形状を設ける左右対称とする袋形状の、前記袋形状の周囲は内部と外側とがシールで遮断されて、前記真ん中から２手の形状の真ん中縦方向に切り裂いて２つに分けるための切り込み線やミシン目状の切り込み線を設ける前記ケア用品があるが、外界の物的圧力や温度や保管の状態による影響又は時間の経過によって、前記切り込み線やミシン目状の切り込み線から内部の液が滲み出しや蒸発があり、前記ケア用品内部に充填した規定容量よりも少ない方向或いは薬液を構成する原料のバランスが崩れる方向に変化する。
【先行技術文献】
【特許文献】
【０００９】
【特許文献１】特開２００４−２４８７６０号
【特許文献２】特開平７−８５１９号
【特許文献３】特開昭５４−１１７２５５号
【発明の概要】
【発明が解決しようとする課題】
【００１０】
上述の前記状況によって、薬事法の安全性や安定性の基準に合格しないおそれがあるので、前記ケア用品に対して、上述の前記記述した前記状況を改善する改善策や打開する打開策を講じて、安心して使用でき且つ、便利性のあるものにする必要性がある。一定の期間を通して安定した薬事の効能効果が保持されて、安価であり、且つ利便性の高い使い捨てのケア用品を提供するための課題を以下に記述する。
【００１１】
第１の課題、包装袋に前記ケア用品を封入し密封した状態から、開封後、薬事法に定められる一定期間を通して、中身の変色や異臭や重量の変化等を起こさない製品の標準仕様が必要である。
【００１２】
第２の課題、前記ケア用品の装着を短時間装着使用しても或いは長時間継続して使用しても、中身の液漏れによる着衣や寝具を汚れの防止策或いは中身が体温の影響により前記中身の蒸発を早めることを防ぐための防止策が必要である。
【００１３】
第３の課題、前記ケア用品の装着時に違和感を伴いながら装着することの防止策は、例えば、一袋は外側フィルムと内側フィルムとで構成するので、挿入を誤って、前記外側フィルムと前記内側フィルムとの間に手や足の指部を挿入することを防止するための工夫が必要である。
【課題を解決するための手段】
【００１４】
本願発明は、第１の課題を解決する手段を備えている。また、本願発明は、第２の課題を解決する手段と、第３の課題を解決する手段とをさらに備えていることが望ましい。
【００１５】
第１の課題を解決する手段は、一袋の積層したフィルムの内部に薬剤を含浸して同時に形成する薬事を表現する容器の形態とするものであり、例えば、下部から外側フィルムを、次に内側フィルムとなる化学繊維のみからなる不織布シートを順に積層し、続いて、上部となる内側フィルムの化学繊維のみからなる不織布シートを、次に外側フィルムを順に積層して、更には前記化学繊維のみからなる不織布シートの双方に薬剤の含浸をさせて、同時に、上と下からのシールにより接合させる、前記一袋は内部と外部を遮断する、周囲をシールで接合する一袋の容器となる形態である。
【００１６】
第２の課題を解決する手段は、使用の際、前記一袋形状の、前記手又は足の指から任意とする部位までを挿入し、内部からの液漏れや内部の薬剤の含浸が体温により、開口部を通じて外部への蒸発を早めることを防ぐための、一袋仕様の自らに帯状体符号９と符号１１を設けて入り口部を結束する、又は符号２１と符号２２の切欠いた孔部又は孔部となる切欠き線を設けて、例えば、符号２１の孔部には符号１１を通して、符号２２の孔部には符号９を通した後に互いの帯状体は結ばれて開口部を結束する又は開口部に、前記入り口部を束ねるための、例えば、輪ゴムを嵌めて掛け止める仕組みの部位符号１３を設けるとよい。
【００１７】
更には、上述と異なる例には、前記帯状体符号９と符号１１の長手方向の切欠き線符号３２を設けて輪となる形状をつくり、前記入り口部の周囲に対して前記輪の形状は小さめであって、前記入り口部の周囲の長さに対して短くした輪の状態でケア用品本体をくぐらせた状態で手や足を挿入して、嵌めた前記輪の形状を手首や足首の位置から入口部方向の位置に移動させると、前記手や足の前記入り口部を結束することに至るは、内部からの液漏れや内部の薬剤の含浸が体温により、開口部を通じて外部への蒸発することを遅らせるものである。或いは前記帯状体を長手方向に切欠いた帯を設けて互いの端部を結ぶ前記輪の状態を設けて実施してもよい。
【００１８】
第３の課題を解決する手段は、前記一袋形状の、適正に使用されるための、例えば、前記手又は足の指の入れ口には、開口部となる熱圧着シール帯符号２に、前記熱圧着シール帯を取り除くための、切り欠いて開口して入り口となる切り口なるＶ字やカットなる目印符号７と符号８を設ける形態が望まれる。
【００１９】
詳しくは、手又は足の指をケアするケア用品の入口から適正に挿入させるための、前記入口の周囲の形態は、外側フィルムに接合される内側フィルムの端部符号６は、前記切り口符号７から切り欠いて開口する入り口を設ける切り口なる双方の目印を結ぶ領域を除くものであり、前記内側フィルムの端部符号６は前記入り口部と反対方向の指部の方向にずらして接合するものであり、前記入り口の前記周囲は前記外側フィルムの双方を積層する２層符号５で設け、前記双方の目印を結ぶ前記領域を除く、前記領域を除いた前記指の方向符号４は積層されたフィルムの４層で設ける。
【００２０】
更には、前記外側フィルムにずらして設ける前記内側フィルムの前記端部符号６の部位は、シールの部分シールや帯状のシール帯を設けて接合するものである。故に、手のひらと手の甲又は足の裏と足の甲及び双方の任意の丈の部位までが薬剤の含浸がされる双方の内側のフィルムの袋状の中に適正に挿入されて、表記された用法の効能効果が得られることを特徴とするものである。
【００２１】
本願発明の一袋の内部に薬事法以外で手又は足の肌を健やかに保つ原料（雑貨対応）を入れても問題としない。
【発明の効果】
【００２２】
開封されている包装袋から取り出した本発明品のケア用品は、定められた期間内において安心して使用することができ、前記ケア用品の開口部に設ける切り口から切り欠いて、一袋の中へは手又は足の指から適正に挿入されて、表示する使用の用法に沿って、開口部に紐などや輪ゴムを嵌めて入り口部の周囲を締めて又は開口部を自前の帯状体で入り口部の周囲を締めて結び、或いは前記帯状体に切欠き線を設けて輪の形状を作り嵌めると、中身の液漏れで衣類や寝具を汚すことや中身が体温の影響により早めに蒸発しての乾燥を遅らせることで防ぎ、適正なる効能効果が得られるものである。
【図面の簡単な説明】
【００２３】
【図１】本願発明品のケア用品で、４枚のシートが積層されて、内部と外部とを遮断した一袋となる手又は足をケアするケア用品本体の基本的な形状を示す平面図
【図２】図１に示すケア用品本体の詳細な形状を示す平面図
【図３】図１及び図２のケア用品本体の断面であり、一袋は４枚のフィルムが積層し内側は薬剤を含浸し、外周を接合して打ち抜かれる状況の平面図
【図４】指先をつきあわせて１ペアの形態となるケア用品本体の断面であり、内側は薬剤を含浸し、外周を接合して打ち抜かれる状況の平面図
【発明を実施するための形態】
【００２４】
本発明のケア用品図１の符号１は、手又は足の指先から手首や足首を又は任意の部位までを被覆するものであり、外側フィルム／内側フィルム／前記内側フィルム／前記外側フィルムを順に積層して、更には双方の内側フィルムには薬剤を含浸して、内部と外部を遮断する周囲の輪郭符号２〜符号３をシールで圧着して接合し、溶断又は刃型で打ち抜いて一袋の形態とするものである。すなわち、本発明は、手をケアするケア用品で、４層のフィルムで積層されて形成している。
【００２５】
前記一袋の、外側フィルム符号１４と符号１７は、例えば、ナイロン、ポリエチレン、ポリプロピレン、ポリエチレンテレフタレート、アクリル又は前記系統等の適度の厚さ、例えばポリエチレンテレフタレートであれば１２ミクロン以上のフィルムを用い、加えて前記樹脂フィルムの外側と反対の面にアルミ蒸着又はシリカ蒸着又はセラミック蒸着又はアルミ箔、高ガスバリアフィルム等を合わせて構成する。互いのフィルムの選択はコストの面を考慮して汎用品を用いることが望ましいもので任意である。
【００２６】
前記外側フィルムは、美容や医療の相乗効果が得られる特徴、バリア効果、遮光の効果等が得られる特徴などを有していることが望ましいが、採用の基準は使用目的に準じるが、包装体に使用期限を記載する等の場合は別途定められる薬事法の規則に従うとよい。
【００２７】
前記一体袋の内側フィルム符号１５と符号１６は、化学繊維のみからなる不織布シートの、例えば、ナイロン、ポリエチレン、ポリプロピレン、ポリエチレンテレフタレート、アクリル又は前記系統の化学繊維等の単体又は互いの一つを混ぜた化学繊維のみからなる不織布シート、例えば、目付２０ｇ／ｍ２〜の不織布シートを用いることが望ましい。化学繊維のみからなる不織布の採用は任意であるが、前記化学繊維が薬剤の含浸の主剤である原料を吸着して薬事基準をクリアできないことを回避する必要があることや前記化学繊維のコストの面を考慮することが望ましい。
【００２８】
例えば、前記一袋からなる内側フィルムの符号１５と符号１６を天然繊維の不織布シートを用いた場合、内部と外部を遮断したとする輪郭のシールの断面は、前記断面に符号１５と符号１６双方の天然繊維の不織布シートの層が現れて、内部の前記双方の天然繊維の不織布シートに含浸された薬液が前記双方の天然繊維の不織布シートを通して外部とする断面から浸み出すことで内部の薬液の原料の構成や容量が崩れて、薬事法に係る安全テスト合格の範囲外になるので、本願発明は前記天然繊維からなる不織布シートを内側フィルムとしては使用しない。
【００２９】
前記一袋となる形状及び形態は、手又は足の、指５本を袋状に包む形状とし又は親指を袋状に包む形状に加え人差し指から小指までを袋状に連なって包む形状とし又は５本の指のそれぞれに対応して袋の形状であり、企画は任意とする、指先から開口部のシール帯符号２までを凡そ３００ｍｍ、幅方向に凡そ２５０ｍｍ、開口部の幅方向は凡そ１５０ｍｍである。
【００３０】
前記袋状を、図２に示すように工夫し、液漏れや長時間使用する際の体温で中身の薬剤の含浸の蒸発及び乾燥を防ぐための仕組みは、前記指から挿入する開口部符号２の入り口周囲の部位を束ねて止めるための符号１３の部位は輪ゴムを嵌めて又は紐で結び入り口周囲の部位を束ねて止めるための部位である。
【００３１】
加えて、前記ケア用本体の外周部に帯状体なる符号９と符号１１は、前記ケア用本体の、前記帯状体の前記符号９は最終点符号１０に、前記符号１１は最終点符号１２まで外し離して、双方の帯で前記開口部の入り口又は入口の周囲を締めて結び止める機能であり、中身の液漏れや薬剤の含浸が体温の影響によって蒸発を早めることを防ぎ、ケア用品内部の湿度を温存するためのものである。前記双方の帯状体は結び括る強度に耐えるためのシールを施すとよい。
【００３２】
更には、前記帯状体に長手方向の切欠き線符号３２を設けて又は前記帯状体を長手方向に切欠いて前記切欠いた互いの端部を任意に結んで輪となる形状をつくり、前記輪の形状は前記入り口部の周囲に対して小さめであり、前記入り口部の周囲を前記輪の形状にくぐらせて嵌めた状態で、手首や足首の位置から入口部方向の位置に移動させると前記入り口部は周囲の互いの違いから締まり結束する機能であって、その効果は上述と同じく、内部からの液漏れや内部の薬剤の含浸が体温により、開口部を通じて外部への蒸発を遅らせることや内部の体温による温かさを温存するものである。或いは前記帯状体を指の方向に切欠いた帯を設けて互いの端部を結ぶ前記輪の状態を設けて実施する形態でもよい。
【００３３】
ケア用品の１ペアの形態は、例えば、左用と右用それぞれの一袋を、前記左右それぞれの前記開口部シール帯符号２を境にして突き合わせて、切り分けるための真ん中にミシン目の切り込み線（符号３３）等を、シール帯に並列して設け、左右対称の、左右双方の端部には、互いの指先部を設けるもので、例えば、左手に使用する前記指先部から前記開口部に至り、左右を切り分けるミシン目の切り込み線等を経て、更にはもう一方の前記開口部から右手指先部に至る一連続する形態である。更には前記化学繊維のみからなる不織布シートの双方に薬剤の含浸をさせて、同時に、上と下からのシールにより接合させる、前記１ペアは内部と外部を遮断する、周囲をシールで接合する形態である。
【００３４】
図４は、前記ケア用品の前記１ペアの形態の上述した例とは異なる形態であって、例えば、左用と右用それぞれの一袋を、前記左右それぞれの指先を突き合わせて、切り分けるためのミシン目の切り込み線（符号３３）等を前記突合せの真ん中に施して、互いの指先部から符号６の部位までを前記４層のフィルムで、前記符号６の部位から開口部シール帯符号２までは外側フィルムの２層で構成する形態を示す図である。切り口部からもう一方の切り口部へ容易に切り裂くために、互いを結ぶ領域は、前記２層のフィルムで構成する。
【００３５】
前記指先を突き合わせる１ペアの形態は、例えば、左手に使用する前記開口部から指先部に至り、左右を切り分けるミシン目の切り込み線等を経て、更にはもう一方の右手指先部から前記開口部に至る一連続する形態である。更には、連続生産の効率も考慮して、図４に示すように、上部内側のフィルム符号２４と下部内側フィルム符号２６の端部は、前記１ペアの形態ではいずれも符号６となるものであり、更には上部外側フィルム符号２３に上部外側フィルムよりも幅が小さい前記上部内側のフィルム符号２４がシールで接合符号２５され、下部外側フィルム符号２８にも同様に前記下部外側フィルムよりも幅が小さい前記下部内側フィルム符号２６がシールで接合符号２７されるものであり、前記化学繊維のみからなる不織布シートの符号２４と符号２６の双方には薬剤を含浸させて同時に、上と下からのシールにより接合させる、前記１ペアは内部と外部を遮断する、周囲をシールで接合する形態である。
【００３６】
上述したそれぞれ１ペアなる形状及び形態は、前記ケア用品の左用と右用と思われる一部が繋がる或いは、指を入れる入り口の開口部をつくるには鋏などを用いてシール帯を取り除いてもよいが、前記のペア用品の双方は汎用性、生産効率性から望まれる形態である。
【００３７】
前記内側フィルムの前記化学繊維のみからなる不織布シートには、薬事の効果が得られる化粧品又は医薬部外品又は医薬品である、薬液の含浸又はゲル剤の塗布又は粉黛の塗布又は薬事シートの積層（以下これらを薬剤の含浸と略称する）の、充填、含浸、包装、シールの一連の作業工程ができるものである。
【実施例】
【００３８】
ハンドケア用品の図２の実施例は、目印符号７から符号８或いは符号８から符号７へのいずれかの方向に切り欠いて入り口を設け、指から挿入しながら装着する。中身の液漏れで着衣や寝具を汚すことを防ぐために、輪ゴムを嵌めて、開口部の周囲の符号１３に輪ゴムを止める。又は、符号９と符号１１の帯状の紐を輪郭部から前記符号９は符号１０の点までに引き離し、符号１１は符号１２の点までに引き離し、前記符号９は符号２２、前記符号１１は符号２１の孔部に又は孔部となる切欠き線に通して等により前記開口部を結び締めて又は前記開口部の周囲を結び締めて使用する。
【００３９】
或いは、前記帯状体に設けた輪の形状符号３２を入口の周囲に嵌めて、指から挿入しながら装着して、前記輪の形状を指先と反対方向にずらしながら設けることで入口周囲は結束するものであり、内部の液漏れや内部の薬剤の含浸が体温の影響により早まることを防ぎ、ケア用品内部の体温による温かさを温存できるものである。
【００４０】
スキンケアなる美容用法の時間は凡そ１５分程度であるが、装着している時間は使用目的ごとの用法に準じる。
【符号の説明】
【００４１】
１      本願発明の手又は足の指先から手首や足首を又は任意の部位までを被覆する
２      指部の挿入口となる開口部のシール帯
３      １）を形成する輪郭で、シールで接合して内部と外部を遮断している
４      外側フィルム／内側フィルム／前記内側フィルム／前記外側フィルムの順に積層する
５      外側フィルム／前記外側フィルムの順に積層する
６      指の方向から４）の積層で構成されるフィルムの端部
７      切り口の目印で、８）の方向に切り欠いて、指から挿入する入れ口を形成する
８      切り口の目印で、７）の方向に切り欠いて、指から挿入する入れ口を形成する
９      ケア用品自らに一体形成する帯状体で、本体と離して、１１）の切り離した帯状体と結
び、入り口周囲を締める
１０    ９）の帯状体を本体から離し、本体とつながる最終点
１１    ケア用品自らに一体形成する帯状体で、本体と離して、９）の切り離した帯状体と結
び、入り口周囲を締める
１２    １１）の帯状体を本体から離し、本体とつながる最終点
１３    輪ゴムなどを嵌めて入り口部を締めて止める部位
１４    上部の外側フィルム
１５    １４）と積層する内側フィルムで薬剤が含浸している
１６    １５）と向き合わせる内側フィルムで薬剤が含浸して積層している
１７    １６）と積層する下部の外側フィルム
１８    １５）１６）に薬剤が含浸され、１４）１５）１６）１７）の順に積層し、シールによ
り内部と外部は遮断して一袋に形成される、ケア用品本体となる状況の平面図
１９    フィルムの流れの方向
２０    手をケアするケア用品の指部から開口部シール帯までの丈の方向
２１    符号１１の帯状体を通すための切欠いた孔部又は切欠き線
２２    符号９の帯状体を通すための切欠いた孔部又は切欠き線
２３    図４の上部外側フィルム
２４    図４の上部内側フィルム
２５    ２４）が２３）に接合した部分、符号６となる
２６    図４の下部内側フィルム
２７    ２６）が２８）に接合した部分、符号６となる
２８    図４の下部外側フィルム
２９    図４のフィルムの流れの方向
３０    ２４）２６）の内側フィルムの幅
３１    ２３）２８）の外側フィルムの幅
３２    帯状体に設ける長手方向の切欠き線
３３    左と右に切り分けるためのミシン目の切り込み線
【図１】
2014132126.tif 000003
【図２】
2014132126.tif 000004
【図３】
2014132126.tif 000005
【図４】
2014132126.tif 000006
【手続補正書】
【提出日】平成25年3月8日(2013.3.8)
【手続補正１】
【補正対象書類名】特許請求の範囲
【補正対象項目名】全文
【補正方法】変更
【補正の内容】
【特許請求の範囲】
【請求項１】
手又は足をケアするケア用品であって、一袋からなる形状は、手又は足の指から手首、又は足首、又は任意の部位までを包む袋状であって、指５本を一緒に、又は親指とそれ以外の指とを分けて、又は指５本をそれぞれ個別に包む形状であり、一袋を構成する袋の断面は、樹脂フィルム／化学繊維のみからなる不織布シート／化学繊維のみからなる不織布シート／樹脂フィルムを順に積層するものであり、前記双方の化学繊維のみからなる不織布シートに薬剤を含浸し、前記樹脂フィルムおよび前記不織布シートによって構成される積層体の周縁全周をシール帯でシールして前記一袋の内部と外部を遮断し、前記シール帯の一部が取り除き可能な開口部シール帯である手又は足をケアするケア用品。
【請求項２】
前記手や又は足をケアするケア用品の周囲に自らに備える、分離可能である帯状体が前記一袋の外周部に形成されており、前記一袋の、前記開口部シール帯を取り除き前記入り口となる周囲部分を、分離された前記帯状体で結び締めることができる請求項１に記載の手又は足をケアするケア用品。
【請求項３】
前記帯状体を互いの孔部に通して、前記入り口部を前記帯状体で結束するための、前記入り口部付近に設ける切欠き孔又は切欠き線を設ける請求項２に記載の手又は足をケアするケア用品。
【請求項４】
前記帯状体に前記帯状体に沿う長手方向に切欠き線を施して輪の形状を設け又は前記帯状体に前記帯状体に沿う長手方向に切欠いて帯を設け前記切欠いた帯の端部の互いを結んで任意の輪の形状をつくり、入り口部の周囲よりも小さく嵌める仕組みを設ける請求項２又は３に記載の手又は足をケアするケア用品。
【請求項５】
前記一袋なる手又は足をケアするケア用品の、切り欠いて取り除かれることにより手の形状の開口部を形成する前記開口部シール帯を真ん中にして左右対称の形状又は切り欠いて取り除かれることにより足の形状の開口部を形成する前記開口部シール帯を真ん中にして左右対称の形状に切り分けるための切り込み線を設ける請求項１から４のいずれかに記載の手又は足をケアするケア用品。
【請求項６】
前記一袋なる手又は足をケアするケア用品の、手の形状の互いの指先部を向い合せる左右対称の形状又は足の形状の互いの指先部を向い合せる左右対称の形状の、互い向かい合う真ん中には左右対称に切り分けるための切り込み線を設ける請求項１から    ４のいずれかに記載の手又は足をケアするケア用品。